(57)【要約】【課題】本発明は、適切な検索キーワードを指定しにくい場合でも、人の感情など曖昧な表現から得たい情報を抽出することのできるイメージ検索システムを提供することを目的とするものである。【解決手段】本発明は、カテゴリー及びキーワードを選出するキーワード洗出し、キーワード同士を関連付ける派生設定、印象を決めるイメージ洗出し、キーワードの印象を集計するキーワード評価、及びサーバからサイト情報を取得するサイト取得からなるデータ構築手段と、カテゴリーを選択するカテゴリ選択、印象を入力するイメージ選択、サイトの存在キーワードの印象からサイトイメージを算定するイメージ判定、サイトを抽出しサイト群に分類するサイト振分け、及び指定した印象とサイトイメージを比較して合致度の降順で並び替えるサイト並替えからなる検索手段と、結果確認手段とを備えることを特徴とするイメージ検索システムの構成とした。【選択図】図１
2007304744.tif 000002
【特許請求の範囲】
【請求項１】
検索範囲を分類するためのカテゴリー及び前記カテゴリーに属するキーワードを選出し記憶装置に登録するキーワード洗出し、前記キーワード同士を関連付け記憶装置に設定する派生設定、前記キーワード洗出し後に検索条件となる印象を決め記憶装置に登録するイメージ洗出し、前記キーワードの印象を集計し記憶装置に保存するキーワード評価、及び前記キーワード評価後にインターネット上のサーバからサイト情報を取得し記憶装置に蓄積するサイト取得からなるデータ構築手段と、前記データ構築手段で決めたカテゴリーをインターネットを介してクライアントが選択し管理装置に送ることにより検索範囲を絞り込むカテゴリ選択、前記カテゴリ選択後に検索条件として印象を入力し管理装置に検索実行の指示を送るイメージ選択、前記データ構築手段で記憶装置に蓄積したサイトの存在キーワードの印象から管理装置がサイトイメージを算定するイメージ判定、前記カテゴリ選択で指定したカテゴリー内のキーワードにより管理装置が記憶装置からサイトを抽出しサイト群に分類するサイト振分け、及び前記イメージ選択で指定した印象とサイトイメージを管理装置が比較して合致度の降順で並び替えるサイト並替えからなる検索手段と、前記検索手段の結果である編集後サイト群を管理装置がクライアントにインターネットを介して返送する結果確認手段とを備えることを特徴とするイメージ検索システム。
【請求項２】
検索手段において、曖昧な印象を基準となる印象に変換してイメージ選択することができることを特徴とする請求項１に記載のイメージ検索システム。
【請求項３】
結果確認手段において、編集後サイト群をキーワードの派生先の編集後サイト群に切り替えることができることを特徴とする請求項１又は請求項２に記載のイメージ検索システム。
【発明の詳細な説明】
【技術分野】
【０００１】
本発明は、適切な検索キーワードを指定しにくい場合でも、人の感情など曖昧な表現から得たい情報を抽出することのできるイメージ検索システムに関するものである。
【背景技術】
【０００２】
インターネット上には、多くのウェブサイトが存在し、目的のサイトを探し出すことが困難であるため、検索エンジンを搭載し、容易にサイトへ到達できるようにしたポータルサイトも存在している。
【０００３】
特許文献１に記載されているように、ハイパードキュメントシステムから情報を抽出する情報抽出方法の発明も公開されている。
【特許文献１】特開２００３−２４２１６６号公報
【発明の開示】
【発明が解決しようとする課題】
【０００４】
しかしながら、特許文献１に記載の発明は、検索キーワードとテキスト又は類似テキストとをマッチングするものであり、抽出したい情報が得られるかどうかは、指定した検索キーワードに左右される。
【０００５】
そこで、本発明は、適切な検索キーワードを指定しにくい場合でも、人の感情など曖昧な表現から得たい情報を抽出することのできるイメージ検索システムを提供することを目的とするものである。
【課題を解決するための手段】
【０００６】
本発明は、上記の課題を解決するために、検索範囲を分類するためのカテゴリー１１ａ及び前記カテゴリー１１ａに属するキーワード１１ｂを選出し記憶装置６に登録するキーワード洗出し２ａ、前記キーワード１１ｂ同士を関連付け記憶装置６に設定する派生設定２ｂ、前記キーワード洗出し２ａ後に検索条件となる印象を決め記憶装置６に登録するイメージ洗出し２ｃ、前記キーワード１１ｂの印象を集計し記憶装置６に保存するキーワード評価２ｄ、及び前記キーワード評価２ｄ後にインターネット９上のサーバ７からサイト情報１０を取得し記憶装置６に蓄積するサイト取得２ｅからなるデータ構築手段２と、前記データ構築手段２で決めたカテゴリー１１ａをインターネット９を介してクライアント８が選択し管理装置５に送ることにより検索範囲を絞り込むカテゴリ選択３ａ、前記カテゴリ選択３ａ後に検索条件として印象を入力し管理装置５に検索実行の指示を送るイメージ選択３ｂ、前記データ構築手段２で記憶装置６に蓄積したサイト７ａの存在キーワード１０ｂの印象から管理装置５がサイトイメージ１０ｃを算定するイメージ判定３ｃ、前記カテゴリ選択３ａで指定したカテゴリー１１ａ内のキーワード１１ｂにより管理装置５が記憶装置６からサイト７ａを抽出しサイト群１３に分類するサイト振分け３ｄ、及び前記イメージ選択３ｂで指定した印象とサイトイメージ１０ｃを管理装置５が比較して合致度の降順で並び替えるサイト並替え３ｅからなる検索手段３と、前記検索手段３の結果である編集後サイト群１３ａを管理装置５がクライアント８にインターネット９を介して返送する結果確認手段４とを備えることを特徴とするイメージ検索システム１の構成とした。
【発明の効果】
【０００７】
本発明は、以上の構成であるから以下の効果が得られる。第１に、検索キーワードでは条件を絞り込めず抽出数が多くなってしまう場合でも、目的のサイトを一覧の上位に持ってくることができ、見つけやすくなる。
【０００８】
第２に、曖昧な条件で簡単にサイトを検索をすることができるので、検索キーワードに完全に一致していないために抽出されなかったサイトまで見つけ出すことができる可能性がある。
【発明を実施するための最良の形態】
【０００９】
本発明は、適切な検索キーワードを指定しにくい場合でも、人の感情など曖昧な表現から得たい情報を抽出するという目的を、検索範囲を分類するためのカテゴリー及び前記カテゴリーに属するキーワードを選出し記憶装置に登録するキーワード洗出し、前記キーワード同士を関連付け記憶装置に設定する派生設定、前記キーワード洗出し後に検索条件となる印象を決め記憶装置に登録するイメージ洗出し、前記キーワードの印象を集計し記憶装置に保存するキーワード評価、及び前記キーワード評価後にインターネット上のサーバからサイト情報を取得し記憶装置に蓄積するサイト取得からなるデータ構築手段と、前記データ構築手段で決めたカテゴリーをインターネットを介してクライアントが選択し管理装置に送ることにより検索範囲を絞り込むカテゴリ選択、前記カテゴリ選択後に検索条件として印象を入力し管理装置に検索実行の指示を送るイメージ選択、前記データ構築手段で記憶装置に蓄積したサイトの存在キーワードの印象から管理装置がサイトイメージを算定するイメージ判定、前記カテゴリ選択で指定したカテゴリー内のキーワードにより管理装置が記憶装置からサイトを抽出しサイト群に分類するサイト振分け、及び前記イメージ選択で指定した印象とサイトイメージを管理装置が比較して合致度の降順で並び替えるサイト並替えからなる検索手段と、前記検索手段の結果である編集後サイト群を管理装置がクライアントにインターネットを介して返送する結果確認手段とを備えることを特徴とするイメージ検索システムとすることで実現した。
【実施例１】
【００１０】
以下に、添付図面に基づいて、本発明であるイメージ検索システムについて詳細に説明する。
【００１１】
イメージ検索システム１は、検索範囲を分類するためのカテゴリー１１ａ及び前記カテゴリー１１ａに属するキーワード１１ｂを選出し記憶装置６に登録するキーワード洗出し２ａ、前記キーワード１１ｂ同士を関連付け記憶装置６に設定する派生設定２ｂ、前記キーワード洗出し２ａ後に検索条件となる印象を決め記憶装置６に登録するイメージ洗出し２ｃ、前記キーワード１１ｂの印象を集計し記憶装置６に保存するキーワード評価２ｄ、及び前記キーワード評価２ｄ後にインターネット９上のサーバ７からサイト情報１０を取得し記憶装置６に蓄積するサイト取得２ｅからなるデータ構築手段２と、前記データ構築手段２で決めたカテゴリー１１ａをインターネット９を介してクライアント８が選択し管理装置５に送ることにより検索範囲を絞り込むカテゴリ選択３ａ、前記カテゴリ選択３ａ後に検索条件として印象を入力し管理装置５に検索実行の指示を送るイメージ選択３ｂ、前記データ構築手段２で記憶装置６に蓄積したサイト７ａの存在キーワード１０ｂの印象から管理装置５がサイトイメージ１０ｃを算定するイメージ判定３ｃ、前記カテゴリ選択３ａで指定したカテゴリー１１ａ内のキーワード１１ｂにより管理装置５が記憶装置６からサイト７ａを抽出しサイト群１３に分類するサイト振分け３ｄ、及び前記イメージ選択３ｂで指定した印象とサイトイメージ１０ｃを管理装置５が比較して合致度の降順で並び替えるサイト並替え３ｅからなる検索手段３と、前記検索手段３の結果である編集後サイト群１３ａを管理装置５がクライアント８にインターネット９を介して返送する結果確認手段４とを備えることを特徴とする。
【００１２】
図１は、本発明であるイメージ検索システムの全体の流れを示すフローチャートである。イメージ検索システム１は、データ構築手段２、検索手段３及び結果確認手段４からなるシステムである。
【００１３】
データ構築手段２は、検索の対象となるデータを収集してデータベースを構築する手段であり、検索手段３は、データベースから検索条件に該当するデータを抽出する手段であり、結果確認手段４は、抽出した結果を可視化して確認する手段である。
【００１４】
図２は、本発明であるイメージ検索システムの装置の構成を示すブロック図であり、図３は、本発明であるイメージ検索システムのデータの構造を示す関連図である。イメージ検索システム１の各手段を行うために、以下の装置及びデータを使用する。
【００１５】
図２に示すように、イメージ検索システム１の装置は、イメージ検索システム１を提供する管理装置５、イメージ検索システム１の運用のために利用するサーバ７、及びインターネット９を介してイメージ検索システム１を利用するクライアント８からなる。
【００１６】
管理装置５は、イメージ検索システム１の入口となるポータルサイト５ａ、イメージ検索システム１のプログラムである検索エンジン５ｂ、及びイメージ検索システム１に関する情報を保存する記憶装置６等を有するコンピュータである。
【００１７】
ポータルサイト５ａは、クライアント８からのアクセスに対して最初に返送する画面である。クライアント８は、ポータルサイト５ａから検索条件等を入力し、検索エンジン５ｂに対して実行の指示を出すことができる。
【００１８】
検索エンジン５ｂは、各手段の処理手順を記したものである。処理が実行されると、管理装置５の中央処理装置が記憶装置６から必要なプログラム及びデータを読み込み、処理の内容を解釈し、流れを制御する。
【００１９】
記憶装置６は、磁気ディスク等の媒体にデータを蓄える装置である。サイトに関する情報を蓄積するサイト情報１０、キーワードに関する分類情報１１、及びイメージの変換に関する変換情報１２等のテーブルを有するデータベースが構築される。
【００２０】
サーバ７は、他のコンピュータに情報等を提供するサーバコンピュータであり、インターネット９上に公開されるサイト７ａを保有する。尚、管理装置５は、サーバ７に対しては、クライアントコンピュータとなる。
【００２１】
サイト７ａは、個人又は企業等がインターネット９を利用して情報を発信するホームページが置かれる領域である。尚、ホームページは、ハイパーテキスト等の文書により作成される。
【００２２】
クライアント８は、インターネット９を介して他のコンピュータから情報等の提供を受けるクライアントコンピュータである。尚、管理装置５は、クライアント８に対しては、サーバコンピュータとなる。
【００２３】
データ構築手段２では、インターネット９上のサーバ７に存在するサイト７ａの情報を収集して記憶装置６のサイト情報１０に蓄積する。尚、データ構築手段２は、定期的に実行され、サイト情報１０が更新される。
【００２４】
検索手段３では、クライアント８がポータルサイト５ａを通じて行った検索の実行指示について、記憶装置６のサイト情報１０に蓄積されたサイト７ａのうち入力された検索条件に合うものを抽出する。
【００２５】
結果確認手段４では、検索手段３で抽出した検索結果を見やすいように編集し、インターネット９を介して検索の実行指示を行ったクライアント８に対して返送する。尚、検索結果は、次々と派生させていくことが可能である。
【００２６】
図３に示すように、記憶装置６に作成したデータベースには、サイト情報１０、分類情報１１及び変換情報１２のテーブルが設けられる。各テーブルは、項目を関連付けておくことが好ましい。
【００２７】
サイト情報１０は、サイト７ａ内の文書を収集して蓄積したテキストデータ１０ａ、テキストデータ１０ａ内に含まれる単語である存在キーワード１０ｂ及びサイト７ａの印象を表現したサイトイメージ１０ｃ等からなる。
【００２８】
テキストデータ１０ａは、データ構築手段２により蓄積される。存在キーワード１０ｂは、検索手段３時にテキストデータ１０ａから分類情報１１のキーワード１１ｂを基に抽出される。サイトイメージ１０ｃは、検索手段３時に存在キーワード１０ｂと分類情報１１のイメージ１１ｄを基に算出される。
【００２９】
尚、存在キーワード１０ｂは、存在する単語の数をカウントして、最も多く存在する単語を把握できるようにする。また、サイトイメージ１０ｃは、複数の印象を組み合わせ、それらの印象の度合いで表現する。
【００３０】
分類情報１１は、検索の際に索引となる単語であるキーワード１１ｂ、キーワード１１ｂが属するグループを示すカテゴリー１１ａ、キーワード１１ｂに関連する単語をリンクさせた派生先１１ｃ及びキーワード１１ｂの印象を表すイメージ１１ｄ等からなる。
【００３１】
キーワード１１ｂ、カテゴリー１１ａ、派生先１１ｃ及びイメージ１１ｄは、予め作成しておくが、随時更新することができる。特に、流行の変化等に対し迅速に対応することが好ましい。
【００３２】
尚、カテゴリー１１ａは、検索時の大きな分類となると共に、検索に使用するキーワード１１ｂをまとめたものである。また、派生先１１ｃは、カテゴリー１１ａに関係なく関連性のあるキーワード１１ｂを結びつけたものである。
【００３３】
また、イメージ１１ｄは、キーワード１１ｂの単語が持つ印象を多人数から収集し、集計したものである。性別及び年齢等で分類しておくことにより、性別間及び世代間のギャップに対応することも可能である。
【００３４】
変換情報１２は、変換前のサイトイメージ１０ｃである元イメージ１２ａ及び変換後のサイトイメージ１０ｃである割当イメージ１２ｂ等からなる。印象を表す単語は、人により様々であるので、設定した印象に割り当てることにより対応することができる。
【００３５】
図４は、本発明であるイメージ検索システムのデータ構築手段の流れを示すフローチャートである。データ構築手段２は、キーワード洗出し２ａ、派生設定２ｂ、イメージ洗出し、キーワード評価２ｄ及びサイト取得２ｅからなる。
【００３６】
図５は、本発明であるイメージ検索システムのデータ構築手段のキーワード洗出しを示す図である。キーワード洗出し２ａにおいて、キーワード１１ｂ及びキーワード１１ｂが属するカテゴリー１１ａは、システム提供者が任意に設定することができる。
【００３７】
まず、検索の範囲を特定の分野に絞るためにカテゴリー１１ａを設け、そのカテゴリー１１ａに関連のある単語をキーワード１１ｂとして登録する。尚、１つのキーワード１１ｂが複数のカテゴリー１１ａに属しても構わない。
【００３８】
例えば、カテゴリー１１ａとして、「旅行、就職」を設け、キーワード１１ｂとして、「旅行、海外、買物、就職、大学、卒業」を選出した場合に、キーワード「旅行、海外、買物、卒業」を「旅行」カテゴリーに分類し、キーワード「就職、大学、卒業」を「就職」カテゴリーに分類する。
【００３９】
カテゴリー１１ａ及びキーワード１１ｂの選出の仕方としては、電子メールなどインターネット９を利用して関心のある単語についてアンケートを取ったり、任意のサイト７ａから出現頻度の高い単語を抽出するなどの方法がある。
【００４０】
カテゴリー１１ａ及びキーワード１１ｂは、システム提供者が管理装置５を利用して随時登録を行うか、定期的に管理装置５が自動的に単語を抽出することにより、データベースの分類情報１１に蓄積する。
【００４１】
図６は、本発明であるイメージ検索システムのデータ構築手段の派生設定を示す図である。派生設定２ｂにおいて、キーワード１１ｂ同士に関連性を持たせる派生先１１ｃについても、システム提供者が任意に設定することができる。
【００４２】
キーワード洗出し２ａでキーワード１１ｂを選出した後、一のキーワード１１ｂに対して、関連性を有する他のキーワードを派生先１１ｃとして設定する。尚、一のキーワード１１ｂと他のキーワードは、同じカテゴリー１１ａに属していなくても良い。
【００４３】
例えば、キーワード「旅行」の場合、他のキーワード「卒業、海外、結婚、社員」を派生先１１ｃとして設定し、キーワード「卒業」の場合、他のキーワード「大学、留学、旅行、就職」を派生先１１ｃとして設定する。
【００４４】
派生先１１ｃの設定の仕方としては、電子メールなどインターネット９を利用して関連性のある単語についてアンケートを取ったり、任意のサイト７ａから一のキーワード１１ｂと同時に出現する頻度の高い単語を選出するなどの方法がある。
【００４５】
派生先１１ｃは、キーワード洗出し２ａに続き、システム提供者が管理装置５を利用して設定を行うか、管理装置５が自動的にリンクを張ることにより、データベースの分類情報１１にキーワード１１ｂごとに登録する。
【００４６】
図７は、本発明であるイメージ検索システムのデータ構築手段のイメージ洗出しを示す図である。イメージ洗出し２ｃにおいて、検索の抽出基準となる印象についても、システム提供者が任意に設定することができる。
【００４７】
まず、キーワード１１ｂのイメージ１１ｄ又はサイト７ａのサイトイメージ１０ｃを設定する際に基準となる印象を選出する。尚、印象は、人の感情や感覚などを表す単語とする。また、検索時に入力が予想される印象についても洗い出しておく。
【００４８】
次に、基準となる印象については、印象の度合いを段階的に設定し、予想される印象については、基準となる印象の度合いにより表現する。尚、複数の基準となる印象を組み合わせて表現することができる。
【００４９】
例えば、基準となる印象として「楽しい、賑やか」を選出し、「楽しい」に対する印象を「悲しい」、「賑やか」に対する印象を「寂しい」として、「楽しい、賑やか」をＡ、「悲しい、寂しい」をＥとするＡ〜Ｅの５段階で印象の度合いを設定する。
【００５０】
予想される印象として「驚き、怖い、怒り、残念」を洗い出し、「驚き」は「楽しい度Ｂ、賑やか度Ｂ」、「怖い」は「楽しい度Ｂ、賑やか度Ｄ」、「怒り」は「楽しい度Ｄ、賑やか度Ｂ」、「残念」は「楽しい度Ｄ、賑やか度Ｄ」のように割り当てる。
【００５１】
印象の割当は、基準となる印象及び基準と反対の印象及び予想される印象を元イメージ１２ａ、基準となる印象を割り当てたものを割当イメージ１２ｂとして、データベースの変換情報１２に登録する。
【００５２】
基準となる印象は、予めシステム提供者が管理装置５を利用して登録しておく。イメージ検索システム１の運用後、予想される印象が出てきたとしても、基準となる印象を割り当てることで対応することができる。
【００５３】
また、一般にはほとんど使用されないが、クライアント８におけるシステム利用者のみがよく使用する印象、又はシステム利用者により意味合いの異なる曖昧な印象についても、柔軟に対応することが可能である。
【００５４】
図８は、本発明であるイメージ検索システムのデータ構築手段のキーワード評価を示す図である。キーワード評価２ｄにおいて、キーワード１１ｂのイメージ１１ｄは、システム提供者がアンケート等の方法を用いてシステム利用者から収集して設定する。
【００５５】
キーワード洗出し２ａ及びイメージ洗出し２ｃの後、選出したキーワード１１ｂが基準となる印象のどれに該当するか統計を取る。一人一人が単語に持つ印象は若干異なるため、多くのサンプルを取っておくことが好ましい。
【００５６】
イメージ１１ｄの収集の仕方としては、システム利用者等にアンケート付きの電子メールを送信し回答してもらう方法や、システム利用者がイメージ検索システム１を利用する際にアンケートの画面を表示し回答してもらう方法などがある。
【００５７】
アンケートは、性別、年齢、キーワードに対する印象などを回答する項目を設ける。年齢及び性別は、集計を分類することにより、傾向を把握しておくことができる。尚、回答は選択式にして入力が苦にならないようにする。
【００５８】
システム利用者は、管理装置５を利用して、キーワード１１ｂごとに基準となる印象について性別及び年代別に人数を集計し、結果をイメージ１１ｄとしてデータベースの分類情報１１に登録する。
【００５９】
例えば、キーワード「旅行」については、「面白い」印象を持つ２０代男は１０人、２０代女は２０人、３０代男は１５人、・・・、「楽しい」印象を持つ２０代男は２０人、２０代女は１５人、３０代男は１０人、・・・、という具合である。
【００６０】
図９は、本発明であるイメージ検索システムのデータ構築手段のサイト取得を示す図である。サイト取得２ｅにおいて、管理装置５がサーバ７にアクセスし、サイト７ａの情報を提供してもらう。
【００６１】
キーワード洗出し２ａからキーワード評価２ｄまでが済んだら、検索の対象となるサイト情報１０を生成する。尚、存在キーワード１０ｂ及びサイトイメージ１０ｃについては、データ構築手段２で作成しても良いが、検索手段３で作成することにする。
【００６２】
インターネット９上に存在するサーバ７を巡回し、サイト７ａのテキストデータ１０ａを収集して、データベースのサイト情報１０に蓄積する。尚、サイト７ａの中身は変更されることがあるので、定期的に収集して最新の状態に更新することが好ましい。
【００６３】
図１０は、本発明であるイメージ検索システムの検索手段の流れを示すフローチャートである。検索手段３は、カテゴリ選択３ａ、イメージ選択３ｂ、イメージ判定３ｃ、サイト振分け３ｄ及びサイト並替え３ｅからなる。
【００６４】
図１１は、本発明であるイメージ検索システムの検索手段のカテゴリ選択を示す図である。カテゴリ選択３ａでは、管理装置５からクライアント８にポータルサイト５ａが送られ、システム利用者がカテゴリー１１ａを選択する。
【００６５】
ポータルサイト５ａには、カテゴリー１１ａがボタン又はハイパーリンクなどの方式により配置される。システム利用者によるカテゴリー１１ａの選択が、クライアント８から管理装置５への指示となる。
【００６６】
画面に表示するカテゴリー１１ａは、クライアント８においてシステム利用者が任意に選択できるようにしても良い。システム利用者ごとによく利用するものに絞ってカスタマイズすることができる。
【００６７】
例えば、カテゴリー１１ａの中から「ニュース、旅行、就職、スポーツ、自動車、音楽、グルメ、健康、マネー」を表示項目とする。カテゴリー１１ａとして「旅行」を選択した場合は、検索範囲を旅行に関するサイト７ａに限定することができる。
【００６８】
図１２は、本発明であるイメージ検索システムの検索手段のイメージ選択を示す図である。イメージ選択３ｂでは、管理装置５からクライアント８に検索したい印象を入力する画面が送られ、システム利用者が検索したいサイト７ａの印象を入力する。
【００６９】
画面には、印象を示す単語を入力する欄と、印象の度合いを選択する欄が設けられ、どちらを入力しても良い。尚、印象の度合いの欄は、基準となる印象をいくつか組み合わせて度合いを指定することができる。
【００７０】
システム利用者が単語を入力した場合は、単語が変換情報１２に元イメージ１２ａとして登録されているか確認し、存在すれば元イメージ１２ａを変換した割当イメージ１２ｂを、画面の印象の度合いの欄に自動的に設定する。
【００７１】
例えば、「怖い」と単語を入力した場合、「面白い度Ｃ、楽しい度Ｂ、賑やか度Ｄ」が自動的に設定される。指定された印象が検索条件となり、検索エンジン５ｂに検索の実行指示が送られる。
【００７２】
尚、システム利用者は、自動的に設定された印象の度合いを、自分自身の印象に基づき調整することも可能であり、調整した内容は、クライアント８内に保存され、次回からは保存内容を呼び出すように学習機能を備えることもできる。
【００７３】
図１３は、本発明であるイメージ検索システムの検索手段のイメージ判定を示す図である。検索エンジン５ｂに実行指示が与えられることにより、管理装置５が記憶装置６を利用してイメージ判定３ｃを行う。
【００７４】
管理装置５がサイト情報１０の全てのテキストデータ１０ａを対象に、分類情報１１のキーワード１１ｂが含まれているか確認し、存在するキーワード１１ｂについて個数をカウントして、サイト情報１０に存在キーワード１０ｂを作成する。
【００７５】
また、管理装置５は、存在するキーワード１１ｂについて、分類情報１１のイメージ１１ｄを参照し、存在キーワード１０ｂの割合に応じてサイト７ａの印象を判断し、サイト情報１０にサイトイメージ１０ｃを作成する。
【００７６】
例えば、サイト情報１０のテキストデータ１０ａについて、キーワード「旅行」が４個、キーワード「卒業」が２個含まれていた場合、存在キーワード１０ｂの割合は、「旅行：卒業＝２：１」となる。
【００７７】
分類情報１１のイメージ１１ｄを参照し、キーワード「旅行」については「面白い９人、つまらない１人、楽しい８人、悲しい２人、賑やか６人、寂しい４人」、キーワード「卒業」については「面白い６人、つまらない４人、楽しい２人、悲しい８人、賑やか２人、寂しい８人」だったとする。
【００７８】
存在キーワード１０ｂの割合とイメージ１１ｄの人数から、「面白い：つまらない＝８：２」、「楽しい：悲しい＝６：４」、「賑やか：寂しい＝４：６」と算定することができ、サイトイメージ１０ｃをＡ〜Ｅの５段階で「面白い度Ｂ、楽しい度Ｃ、賑やか度Ｄ」と判断することができる。
【００７９】
図１４は、本発明であるイメージ検索システムの検索手段のサイト振分けを示す図である。存在キーワード１０ｂが作成されたら、管理装置５が記憶装置６を参照してサイト振分け３ｄを行い、サイト７ａをグループ分けする。
【００８０】
カテゴリ選択３ａで選択したカテゴリー１１ａに属するキーワード１１ｂに関して、存在キーワード１０ｂを参照し、カテゴリー１１ａ内のキーワード１１ｂのうち、同じキーワード１１ｂを最も多く含むサイト７ａ同士を集めてサイト群１３を形成する。
【００８１】
尚、選択したカテゴリー１１ａ以外のキーワード１１ｂについては、最も多く存在していたとしても判断せず、カテゴリー１１ａ内のキーワード１１ｂが存在しない場合は、検索対象外とする。
【００８２】
例えば、「旅行」カテゴリーにキーワード「旅行、海外、買物」が属していた場合、サイト７ａの存在キーワード１０ｂが「旅行３個、海外１個」であれば、「旅行」サイト群に分類し、サイト７ａの存在キーワード１０ｂが「海外２個、買物１個」であれば、「海外」サイト群に分類する。
【００８３】
また、サイト７ａの存在キーワード１０ｂが「旅行」カテゴリー以外のキーワード「卒業」のみで、「旅行」カテゴリーのキーワード１１ｂが存在しない場合は、サイト群１３には含めない。
【００８４】
図１５は、本発明であるイメージ検索システムの検索手段のサイト並替えを示す図である。サイト群１３が形成されたら、印象の検索条件に従い、管理装置５が各サイト群１３についてサイト並替え３ｅを行う。
【００８５】
管理装置５は、各サイト群１３について、イメージ選択３ｂで指定された印象と、サイト群１３内の各サイト７ａのサイトイメージ１０ｃとが、どの程度合っているかを示す合致度を算出する。
【００８６】
例えば、指定された印象が「面白い度Ｂ、楽しい度Ｃ、賑やか度Ｄ」であった場合、サイト７ａのサイトイメージ１０ｃが「面白い度Ｂ、楽しい度Ｃ、賑やか度Ｄ」であれば、合致度は１００％となる。
【００８７】
また、サイト７ａのサイトイメージ１０ｃが「面白い度Ｂ、楽しい度Ｂ、賑やか度Ｄ」であれば、３つの基準となる印象のうち「楽しい度」が５段階評価で１つずれていることとなり、合致度は約９３％となる。
【００８８】
また、サイト７ａのサイトイメージ１０ｃが「面白い度Ｃ、楽しい度Ｂ、賑やか度Ｃ」であれば、３つの基準となる印象「面白い度、楽しい度、賑やか度」がそれぞれ１つずれており、合致度は８０％となる。
【００８９】
サイト群１３内の全てのサイト７ａの合致度を算出したら、管理装置５は、サイト７ａを合致度が高い順から降順で並び替え、編集後サイト群１３ａとする。全てのサイト群１３について、編集後サイト群１３ａにする。
【００９０】
図１６は、本発明であるイメージ検索システムの結果確認手段を示す図であり、図１７は、本発明であるイメージ検索システムの結果確認手段の派生検索を示す図である。結果確認手段４では、管理装置５からクライアント８に検索結果を返送する。
【００９１】
管理装置５は、選択したカテゴリー１１ａ内のキーワード１１ｂ毎に生成した編集後サイト群１３ａを、インターネット９を介して、検索を指示したクライアント８に送り、クライアント８の画面に表示する。
【００９２】
尚、編集後サイト群１３ａの各データは、サイト７ａへのハイパーリンク、検索条件との合致度、及びテキストデータ１０ａの一部により構成される。また、キーワード１１ｂに対する派生先１１ｃへのリンクも設ける。
【００９３】
画面には、全ての編集後サイト群１３ａを配置するが、編集後サイト群１３ａを切り替えて表示するようにしても良いし、編集後サイト群１３ａの数が多い場合には、一つにまとめて表示しても良い。
【００９４】
システム利用者は、カテゴリー１１ａ内の全ての編集後サイト群１３ａを確認することができるが、それ以外に、表示したキーワード１１ｂに関連する派生先１１ｃのキーワード１１ｂについても確認することができる。
【００９５】
派生先１１ｃのキーワード１１ｂが属するカテゴリー１１ａが同じ場合には、変更したキーワード１１ｂの編集後サイト群１３ａに表示を切り替えるが、カテゴリー１１ａが変わる場合には、変更されたカテゴリー１１ａで検索手段３をし直した上で再び結果確認手段４を行う。
【００９６】
例えば、図１６に示すように、「旅行」カテゴリーを指定して検索した場合、クライアント８には、「旅行」カテゴリー内のキーワード「旅行、海外、買物」の編集後サイト群１３ａが配置され、一番手前に表示されたキーワード「旅行」の派生先「卒業、海外、結婚、社員」へのリンクも表示される。
【００９７】
次に、システム利用者がクライアント８において、派生先「卒業」への移動を指定すると、図１７に示すように、キーワード「卒業」が属する「就職」カテゴリー内のキーワード「就職、卒業、大学」の編集後サイト群１３ａが配置され、キーワード「卒業」の編集後サイト群１３ａが一番手前に表示される。
【００９８】
以上のように、本発明であるイメージ検索システムは、検索キーワードでは条件を絞り込めず抽出数が多くなってしまう場合でも、目的のサイトを一覧の上位に持ってくることができ、見つけやすくなる。
【００９９】
また、曖昧な条件で簡単にサイトを検索をすることができるので、検索キーワードに完全に一致していないために抽出されなかったサイトまで見つけ出すことができる可能性がある。
【図面の簡単な説明】
【０１００】
【図１】本発明であるイメージ検索システムの全体の流れを示すフローチャートである。
【図２】本発明であるイメージ検索システムの装置の構成を示すブロック図である。
【図３】本発明であるイメージ検索システムのデータの構造を示す関連図である。
【図４】本発明であるイメージ検索システムのデータ構築手段の流れを示すフローチャートである。
【図５】本発明であるイメージ検索システムのデータ構築手段のキーワード洗出しを示す図である。
【図６】本発明であるイメージ検索システムのデータ構築手段の派生設定を示す図である。
【図７】本発明であるイメージ検索システムのデータ構築手段のイメージ洗出しを示す図である。
【図８】本発明であるイメージ検索システムのデータ構築手段のキーワード評価を示す図である。
【図９】本発明であるイメージ検索システムのデータ構築手段のサイト取得を示す図である。
【図１０】本発明であるイメージ検索システムの検索手段の流れを示すフローチャートである。
【図１１】本発明であるイメージ検索システムの検索手段のカテゴリ選択を示す図である。
【図１２】本発明であるイメージ検索システムの検索手段のイメージ選択を示す図である。
【図１３】本発明であるイメージ検索システムの検索手段のイメージ判定を示す図である。
【図１４】本発明であるイメージ検索システムの検索手段のサイト振分けを示す図である。
【図１５】本発明であるイメージ検索システムの検索手段のサイト並替えを示す図である。
【図１６】本発明であるイメージ検索システムの結果確認手段を示す図である。
【図１７】本発明であるイメージ検索システムの結果確認手段の派生検索を示す図である。
【符号の説明】
【０１０１】
１        イメージ検索システム
２        データ構築手段
２ａ      キーワード洗出し
２ｂ      派生設定
２ｃ      イメージ洗出し
２ｄ      キーワード評価
２ｅ      サイト取得
３        検索手段
３ａ      カテゴリ選択
３ｂ      イメージ選択
３ｃ      イメージ判定
３ｄ      サイト振分け
３ｅ      サイト並替え
４        結果確認手段
５        管理装置
５ａ      ポータルサイト
５ｂ      検索エンジン
６        記憶装置
７        サーバ
７ａ      サイト
８        クライアント
９        インターネット
１０        サイト情報
１０ａ      テキストデータ
１０ｂ      存在キーワード
１０ｃ      サイトイメージ
１１        分類情報
１１ａ      カテゴリー
１１ｂ      キーワード
１１ｃ      派生先
１１ｄ      イメージ
１２        変換情報
１２ａ      元イメージ
１２ｂ      割当イメージ
１３        サイト群
１３ａ      編集後サイト群
【図１】
2007304744.tif 000003
【図２】
2007304744.tif 000004
【図３】
2007304744.tif 000005
【図４】
2007304744.tif 000006
【図５】
2007304744.tif 000007
【図６】
2007304744.tif 000008
【図７】
2007304744.tif 000009
【図８】
2007304744.tif 000010
【図９】
2007304744.tif 000011
【図１０】
2007304744.tif 000012
【図１１】
2007304744.tif 000013
【図１２】
2007304744.tif 000014
【図１３】
2007304744.tif 000015
【図１４】
2007304744.tif 000016
【図１５】
2007304744.tif 000017
【図１６】
2007304744.tif 000018
【図１７】
2007304744.tif 000019